【手続補正書】
【提出日】令和2年7月28日(2020.7.28)
【手続補正１】
【補正対象書類名】特許請求の範囲
【補正対象項目名】全文
【補正方法】変更
【補正の内容】
【特許請求の範囲】
【請求項１】
カメラの視点からの拡張現実のシーンを再生する際に画像を表示装置に描画する方法であって、
第１の決定手段により、前記拡張現実のシーンの境界を求めることであって、前記境界は、前記拡張現実のシーンの全ての要素を包含する、ことと、
第２の決定手段により、前記カメラのポーズの推定と前記シーンの前記境界とに従ってズーム係数を特定することと、
描画手段により、前記ズーム係数に従って前記カメラからの画像を前記表示装置に描画することと、
を含む前記方法。
【請求項２】
視覚効果、音声効果及び触覚効果を含むグループから選択された効果を用いて、指示手段により、ユーザに前記カメラのポジションを示すことを含む、請求項１に記載の方法。
【請求項３】
前記ポジションが、前記拡張現実のシーンの少なくとも１つの要素に関連付けられた方向と重みとに従って特定される、請求項２に記載の方法。
【請求項４】
前記拡張現実のシーンが、前記カメラによって撮られた現実のシーンのオブジェクトに対応する非描画要素を含み、該要素が、前記拡張現実のシーンの前記境界を求める際に考慮に入れられる、請求項１又は３に記載の方法。
【請求項５】
前記カメラの狙い方向を、狙い制御手段により、前記拡張現実のシーンの前記境界と前記ズーム係数とに従って制御することを含む、請求項１から４のいずれか１項に記載の方法。
【請求項６】
前記カメラが光学ズーム機能を備えており、前記方法は、該光学ズーム機能を、光学ズーム制御手段により、前記ズーム係数に従って制御することを含む、請求項１から５のいずれか１項に記載の方法。
【請求項７】
前記画像上のデジタル・ズームを、操作手段により、前記ズーム係数に従って操作することを含む、請求項１から６のいずれか１項に記載の方法。
【請求項８】
カメラの視点からの拡張現実のシーンを再生する際に画像を描画するように構成されたディスプレイを有する装置であって、
前記拡張現実のシーンの境界を求める手段であって、前記境界は、前記拡張現実のシーンの全ての要素を包含する、手段と、
前記カメラのポーズの推定と前記シーンの前記境界とに従ってズーム係数を特定する手段と、
前記ズーム係数に従って前記カメラからの画像を描画する手段と、
を備える、前記装置。
【請求項９】
視覚効果、音声効果及び触覚効果を含むグループから選択された効果を用いて、ユーザに前記カメラのポジションのインディケーションを送信する手段を更に有する、請求項８に記載の装置。
【請求項１０】
前記ポジションが、前記拡張現実のシーンの少なくとも１つの要素に関連付けられた方向と重みとに従って特定される、請求項９に記載の装置。
【請求項１１】
前記拡張現実のシーンが、前記カメラによって撮られた現実のシーンのオブジェクトに対応する非描画要素を含み、該要素が、前記拡張現実のシーンの前記境界を求める際に考慮に入れられる、請求項８又は１０に記載の装置。
【請求項１２】
前記プロセッサが、前記カメラの狙い方向を前記拡張現実のシーンの前記境界と前記ズーム係数とに従って制御するように更に構成されている、請求項８から１０のいずれか１項に記載の装置。
【請求項１３】
前記カメラが光学ズーム機能を備えており、前記装置は、該光学ズーム機能を前記ズーム係数に従って制御する手段を更に備える、請求項８から１０のいずれか１項に記載の装置。
【請求項１４】
前記装置は、前記画像上のデジタル・ズームを前記ズーム係数に従って制御する手段を更に備える、請求項８から１０のいずれか１項に記載の装置。
【請求項１５】
プロセッサによって実行される際に、請求項１から３のいずれか１項に記載の、拡張現実のシーンを再生する際にカメラからの画像を表示装置に描画する方法のステップを実施するプログラム・コード命令を含む、通信ネットワークからダウンロード可能であり、及び／又は、コンピュータによって読み取り可能な媒体に記録されており、及び／又は、プロセッサによって実行可能である、コンピュータ・プログラム製品。
【手続補正２】
【補正対象書類名】明細書
【補正対象項目名】００５４
【補正方法】変更
【補正の内容】
【００５４】
以上、多数の実施形態を説明した。それでもやはり、種々の修正が可能であることは理解されるであろう。例えば、種々の実施形態の要素を組み合わせて、又は補って、又は修正して、又は取り除いて、別の実施形態を作成してもよい。更に、当業者であれば、ここに開示された構成及び処理の代わりに別のものを代用して、その結果として得られる実施形態が、ここに開示された実施形態と少なくとも実質的に同じやり方で、少なくとも実質的に同じ機能を果たして、少なくとも実質的に同じ効果を実現できることが分かるであろう。これに従って、本願は、これらの実施形態及びその他の実施形態を熟慮している。
なお、上述の実施形態の一部又は全部は、以下の付記のように記載され得るが、以下には限定されない。
（付記１）
カメラの視点からの拡張現実のシーンを再生する際に画像を表示装置に描画する方法であって、
前記拡張現実のシーンの境界を求めることと、
前記カメラのポーズの推定と前記シーンの前記境界とに従ってズーム係数を特定することと、
前記ズーム係数に従って前記カメラからの画像を前記表示装置に描画することと、
を含む前記方法。
（付記２）
視覚効果、音声効果及び触覚効果を含むグループから選択された効果を用いて、ユーザに前記カメラのポジションを示すことを含む、付記１に記載の方法。
（付記３）
前記ポジションが、前記拡張現実のシーンの少なくとも１つの要素に関連付けられた方向と重みとに従って特定される、付記２に記載の方法。
（付記４）
前記拡張現実のシーンが、前記カメラによって撮られた現実のシーンのオブジェクトに対応する非描画要素を含み、該要素が、前記拡張現実のシーンの前記境界を求める際に考慮に入れられる、付記１又は３に記載の方法。
（付記５）
前記カメラの狙い方向を、前記拡張現実のシーンの前記境界と前記ズーム係数とに従って制御することを含む、付記１から４のいずれか１項に記載の方法。
（付記６）
前記カメラが光学ズーム機能を備えており、前記方法は該光学ズーム機能を前記ズーム係数に従って制御することを含む、付記１から５のいずれか１項に記載の方法。
（付記７）
前記画像上のデジタル・ズームを前記ズーム係数に従って操作することを含む、付記１から６のいずれか１項に記載の方法。
（付記８）
前記境界が、前記拡張現実のシーンの全ての要素を包含するように定められる、付記１から７のいずれか１項に記載の方法。
（付記９）
カメラの視点からの拡張現実のシーンを再生する際に画像を描画するように構成されたディスプレイを有する装置であって、該装置が、少なくとも１つのプロセッサに関連付けられたメモリを備えており、前記少なくとも１つのプロセッサが、
前記拡張現実のシーンの境界を求め、
前記カメラのポーズの推定と前記シーンの前記境界とに従ってズーム係数を特定し、
前記ズーム係数に従って前記カメラからの画像を描画する、
ように構成されている、前記装置。
（付記１０）
視覚効果、音声効果及び触覚効果を含むグループから選択された効果を用いて、ユーザに前記カメラのポジションのインディケーションを送信するように構成された送信器を更に有する、付記９に記載の装置。
（付記１１）
前記ポジションが、前記拡張現実のシーンの少なくとも１つの要素に関連付けられた方向と重みとに従って特定される、付記１０に記載の装置。
（付記１２）
前記拡張現実のシーンが、前記カメラによって撮られた現実のシーンのオブジェクトに対応する非描画要素を含み、該要素が、前記拡張現実のシーンの前記境界を求める際に考慮に入れられる、付記９又は１１に記載の装置。
（付記１３）
前記プロセッサが、前記カメラの狙い方向を前記拡張現実のシーンの前記境界と前記ズーム係数とに従って制御するように更に構成されている、付記９から１２のいずれか１つに記載の装置。
（付記１４）
前記カメラが光学ズーム機能を備えており、前記プロセッサが、該光学ズーム機能を前記ズーム係数に従って制御するように更に構成されている、付記９から１３のいずれか１つに記載の装置。
（付記１５）
前記プロセッサが、前記画像上のデジタル・ズームを前記ズーム係数に従って操作するように更に構成されている、付記９から１４のいずれか１つに記載の装置。
（付記１６）
前記境界が、前記拡張現実のシーンの全ての要素を包含するように定められる、付記９から１５のいずれか１つに記載の装置。
（付記１７）
プロセッサによって実行される際に、付記１から８のいずれか１つに記載の、拡張現実のシーンを再生する際にカメラからの画像を表示装置に描画する方法のステップを実施するプログラム・コード命令を含む、通信ネットワークからダウンロード可能であり、及び／又は、コンピュータによって読み取り可能な媒体に記録されており、及び／又は、プロセッサによって実行可能である、コンピュータ・プログラム製品。